(57)【要約】【課題】  袋体を必要長さに切断後、容易且つ確実に短時間に封止してグラウトの漏出を防止できる地中アンカーの構築方法及びそれに用いるアンカー用部材を提供する。【解決手段】  引張部材５とグラウトホース７の各下端部をアラミド繊維で織成された筒体２ａの基端開口部で緊縛し、同筒体２ａの先端開口部を頭部外周が螺刻されたソケット３に挿通してソケット頭で折り返し、同ソケット３の頭部にキャップ４を螺着し、同キャップ４とソケット３とで筒体２ａの折り返した先端開口部を封止することで袋体２に形成して所定長さのアンカー体とし、同アンカー体を地盤に形成した削孔Ｓへ挿入し、袋体２内にグラウトホース７でグラウトＧを圧入して袋体２を削孔Ｓ内で膨張させ、同袋体２内のグラウトＧを硬化させて地中定着部とする。【選択図】図１
2005264448.tif 000002
【特許請求の範囲】
【請求項１】
引張部材と硬化材の注入管の各下端部を合成繊維で織成された筒体の基端開口部で緊縛し、同筒体の先端開口部を頭部外周が螺刻されたソケットに挿通してソケット頭で折り返し、同ソケットの頭部にキャップを螺着し、同キャップとソケットとで筒体の折り返した先端開口部を封止することで袋体に形成して所定長さのアンカー体とし、同アンカー体を地盤に形成した削孔へ挿入し、袋体内に注入管で硬化材を圧入して袋体を削孔内で膨張させ、同袋体内の硬化材を硬化させて地中定着部とすることでアンカーを構築できるようにした地中アンカーの構築方法。
【請求項２】
合成繊維で織成された筒体の先端開口部を頭部外周が螺刻されたソケットに挿通してソケット頭で折り返し、同ソケットの頭部にキャップを螺着し、同キャップとソケットとで筒体の折り返した先端開口部を封止した地中アンカー用袋体。
【発明の詳細な説明】
【技術分野】
【０００１】
本発明は、袋体を用いた地中アンカーの構築方法に関する。
【背景技術】
【０００２】
従来、袋体を用いた地中アンカーの構築方法が特許文献１，２に開示されている。この技術は、引張部材の一端に構造物に対する固定機能を有する頭部を形成し、他端には合成繊維を筒状に織成した柔軟な袋体を嵌合して削孔に挿入し、袋体内にグラウトを注入して硬化させることを特徴としている。
【０００３】
ところで、前記技術に用いる袋体は予め一定の長さに製造されているもので、求めるアンカーに応じて袋体を現場で必要長さに切断して使用される。この際、切断開口部はエポキシ等の樹脂を浸透させた後ワイヤーで緊縛して封止するようにしているが、エポキシ樹脂が硬化するのに長時間を要するとともに作業が繁雑で手間を要し、封止にも確実性に欠けてグラウトが漏出することがあった。
【特許文献１】実公平７−４５６３１号公報
【特許文献２】特開２００２−２２７１９７号公報
【発明の開示】
【発明が解決しようとする課題】
【０００４】
本発明が解決しようとする課題は、従来のこれらの問題点を解消し、袋体を必要長さに切断後、短時間且つ確実に封止してグラウトの漏出を防止できる地中アンカーの構築方法を提供することにある。
【課題を解決するための手段】
【０００５】
かかる課題を解決した本発明の構成は、
１）  引張部材と硬化材の注入管の各下端部を合成繊維で織成された筒体の基端開口部で緊縛し、同筒体の先端開口部を頭部外周が螺刻されたソケットに挿通してソケット頭で折り返し、同ソケットの頭部にキャップを螺着し、同キャップとソケットとで筒体の折り返した先端開口部を封止することで袋体に形成して所定長さのアンカー体とし、同アンカー体を地盤に形成した削孔へ挿入し、袋体内に注入管で硬化材を圧入して袋体を削孔内で膨張させ、同袋体内の硬化材を硬化させて地中定着部とすることでアンカーを構築できるようにした地中アンカーの構築方法
２）  合成繊維で織成された筒体の先端開口部を頭部外周が螺刻されたソケットに挿通してソケット頭で折り返し、同ソケットの頭部にキャップを螺着し、同キャップとソケットとで筒体の折り返した先端開口部を封止した地中アンカー用袋体
にある。
【発明の効果】
【０００６】
本発明によれば、袋体の切断した先端開口部をソケットとキャップとで螺着により圧接するから、容易且つ確実に短時間に封止ができ、作業の省力化，工期の短縮化を図ることができる。
【発明を実施するための最良の形態】
【０００７】
本発明のソケット及びキャップとしては、塩化ビニル樹脂，ＡＢＳ樹脂等耐酸性，耐久性を有する経年変化の少ない合成樹脂品が望ましい。
【０００８】
引張部材としては、ＰＣ鋼線，ＰＣ鋼より線，異形ＰＣ鋼線，ＰＣ鋼棒，異形ＰＣ鋼棒などから選ばれ、必要に応じて表面をグリースや合成樹脂等で被覆して防錆処理を施してもよい。
【０００９】
袋体を構成する筒体としては、ポリエステル，ポリプロピレン，ポリビニルアルコール，アラミド等から選ばれた合成繊維を織成したもので、強度や耐アルカリ性が求められる箇所ではアラミド繊維で構成されたものが望ましく、所要長さに製造するか又は予め長尺に製造して現場で必要長さに切断して用いられる。
【００１０】
硬化材としてはポルトランドセメントに水，細骨材，ＡＥ剤・減水剤・膨張材等の混和材料を混入したセメント系グラウト、ポリウレタン系の熱可塑性樹脂，エポキシ樹脂等の熱硬化性樹脂からなる合成樹脂系グラウトがあり、強酸地帯では合成樹脂系が望ましい。以下、本発明の実施例を図面に基づいて具体的に説明する。
【実施例１】
【００１１】
図１は実施例の地中アンカーの構築状態を示す断面図、図２は実施例のソケット及びキャップの断面図、図３，４は実施例の袋体の封止を示す説明図、図５，６は実施例の地中アンカーの構築を示す説明図である。図中、１はアンカー、２は袋体、２ａは筒体、３はソケット、３ａは螺刻部、３ｂは先端部、４はキャップ、５は引張部材、６はバンド、７はグラウトホース、８は台座、９は定着具、９ａは支持板、１０は被覆部材、１１は構造物、Ｇはグラウト、Ｓは削孔である。
【００１２】
本実施例では、図３（ａ）に示すようにＰＣ鋼棒からなる引張部材５及びグラウトホース７の各下端部を所要長さに切断したアラミド繊維からなる筒体２ａの基端開口部で被覆し、基端開口部にエポキシ樹脂を浸透硬化させてバンド６により緊縛する。
【００１３】
筒体２ａの先端開口部は、図３（ｂ）に示すように頭部に螺刻部３ａが形成された塩化ビニル樹脂からなるソケット３に挿通して図３（ｃ）に示すように反対側へ引き出し、図４（ａ）に示すように露出した部分をソケット頭を覆うように折り返し、その折り返し部分を図４（ｂ）に示すようにキャップ４で被覆して螺着し、図２に示すようにソケット３及びキャップ４間に介装された筒体２ａがソケット３の先端部３ｂとキャップ４の内面で圧接して封止されることで所定長さの袋体２に構成され、これをアンカー体とする。
【００１４】
このアンカー体を図５（ａ）に示す様に構造物１１及び地盤に形成した削孔Ｓに挿入して構造物１１の表面に設置した台座８で仮支持し、図５（ｂ）に示すようにグラウトホース７の基端部からポリウレタン樹脂からなる合成樹脂系のグラウトＧを袋体２内に圧入して袋体２を削孔Ｓ内で膨張させ、次いで図６（ａ）に示すように引張部材５のテンドン自由長部分にグラウトＧを二次圧入する。
【００１５】
グラウトＧが硬化すると、図６（ｂ）に示すように台座８上に支持板９ａを介して定着具９で引張部材５を定着し、定着具９を被覆部材１０で被覆して地中アンカー１の構築が完了する。
【００１６】
本実施例はこのように構成したから、袋体２の先端開口部をソケット３とキャップ４とで螺着により圧接するから、容易且つ確実に短時間に封止でき、作業の省力化，工期の短縮化を図ることができた。
【産業上の利用可能性】
【００１７】
本発明は、構造物を地盤に定着させる永久アンカー，仮設アンカー等の地中アンカーに利用できる。
【図面の簡単な説明】
【００１８】
【図１】実施例の地中アンカーの構築状態を示す説明図である。
【図２】実施例のソケット及びキャップの断面図である。
【図３】実施例の袋体の封止を示す説明図である。
【図４】実施例の袋体の封止を示す説明図である。
【図５】実施例の地中アンカーの構築を示す説明図である。
【図６】実施例の地中アンカーの構築を示す説明図である。
【符号の説明】
【００１９】
１  地中アンカー
２  袋体
２ａ  筒体
３  ソケット
３ａ  螺刻部
３ｂ  先端部
４  キャップ
５  引張部材
６  バンド
７  グラウトホース
８  台座
９  定着具
９ａ  支持板
１０  被覆部材
１１  構造物
Ｇ  グラウト
Ｓ  削孔
【図１】
2005264448.tif 000003
【図２】
2005264448.tif 000004
【図３】
2005264448.tif 000005
【図４】
2005264448.tif 000006
【図５】
2005264448.tif 000007
【図６】
2005264448.tif 000008